(57)【要約】【課題】分配ゲートがコンベアベルトの上面から所定の間隔を置いて設置されている廃プラスチックボトルの搬送コンベアにおいて、コンベアベルトの上面と分配ゲートの下端との間に設けられている隙間に廃プラスチックボトルが噛み込むことを防止して、廃プラスチックボトルを能率良く搬送することができる廃プラスチックボトルの搬送コンベアを提供する。【解決手段】コンベアベルト１１の上面の幅中央部に、保持部材１６に一端が保持され、他端が第１分配ゲート１２の先端部１２ａまで延びたプラスチック製の帯１５を這わしている。【選択図】図１
2006298600.tif 000002
【特許請求の範囲】
【請求項１】
分配ゲートがコンベアベルトの上面から所定の間隔を置いて設置されている廃プラスチックボトルの搬送コンベアにおいて、一端が搬送コンベアへの搬入部に固定され、他端が前記分配ゲートまで延びた帯状体をコンベアベルトの上面に這わしていることを特徴とする廃プラスチックボトルの搬送コンベア。
【請求項２】
前記帯状体の厚みは、コンベアベルトの上面から分配ゲートまでの間隔より大きいことを特徴とする請求項１に記載の廃プラスチックボトルの搬送コンベア。
【発明の詳細な説明】
【技術分野】
【０００１】
本発明は、廃棄ＰＥＴボトル等の廃プラスチックボトルの搬送コンベアに関するものである。
【背景技術】
【０００２】
廃プラスチックを処理する廃棄物処理施設では、混合収集された廃プラスチックが形状や材質に基づいて選別された後、それぞれの廃プラスチックに応じた処理が行われる。
【０００３】
通常、ボトル状の廃プラスチックは、ＰＥＴボトル、塩ビボトル、その他のボトルの３種類に選別され、選別されたＰＥＴボトルとその他のボトルは、それぞれ手選別コンベアにおいてガラスや布等の非プラスチックを作業員によって除去された後、ボトル圧縮梱包機に供給され、圧縮梱包されて貯蔵又は次工程に搬送される（例えば、特許文献１参照。）。
【０００４】
その際、圧縮梱包作業の能率向上を図るために、手選別コンベア上に分配ゲートを設け、搬送されるＰＥＴボトル等を分配ゲートによって複数のグループに分配し、それぞれのグループ毎に設けられているボトル圧縮梱包機で圧縮梱包することが行われている。
【０００５】
図３は、そのような分配ゲートが設けられた手選別コンベア（搬送コンベア）を示すものである。図３において、搬送コンベア３０は、その搬出側の端部近傍に、上流側から順に、第１分配ゲート１２と第２分配ゲート１３が設けられている。第１分配ゲート１２は、コンベアベルト１１の手前側の幅端部から上流側に向けて斜め方向にコンベアベルト１１の幅中央部まで延びている。一方、第２分配ゲート１３は、コンベアベルト１１の手前側の幅端部から上流側に向けて斜め方向にコンベアベルト１１の奥側の幅端部まで延びている。そして、第１分配ゲート１２と第２分配ゲート１３の出口に、それぞれ第１ボトル圧縮梱包機２１と第２ボトル圧縮梱包機２２が配置されている。
【０００６】
これによって、コンベアベルト１１上を搬送されているＰＥＴボトル１の内、コンベアベルト１１の手前側ゾーンに載置されているＰＥＴボトル１は、第１分配ゲート１２によって搬送方向が変えられて第１ボトル圧縮梱包機２１に供給され、コンベアベルト１１の奥側ゾーンに載置されているＰＥＴボトル１は、第２分配ゲート１２によって搬送方向が変えられて第２ボトル圧縮梱包機２２に供給される。
【特許文献１】特開２００３−１０３５２０号公報
【発明の開示】
【発明が解決しようとする課題】
【０００７】
図３に示したような、コンベアベルト１１上に分配ゲート１２、１３が設置されている廃プラスチックボトルの搬送コンベア３０においては、コンベアベルト１１の損傷を防ぐために、分配ゲート１２、１３の下端とコンベアベルト１１の上面との間に所定寸法の隙間が設けられている。
【０００８】
これに対して、搬送コンベア１１で搬送するＰＥＴボトル１１は変形したものが多く、中には、薄く押し潰された状態のものも含まれているため、図４に示すように、薄く押し潰された状態のＰＥＴボトル１ａがコンベアベルト１１の幅方向中央部付近に載置されていると、そのＰＥＴボトル１ａが第１分配ゲート１２の先端部１２ａ近傍の下端と搬送コンベア１１の上面との隙間１９に噛み込んで動かなくなってしまうことがある。
【０００９】
その結果、後続のＰＥＴボトル１の搬送が妨げられ、ＰＥＴボトル１が搬送コンベア１１上に滞留してしまって、能率低下を招くという問題がある。
【００１０】
本発明は、上記のような問題を解決するためになされたものであり、分配ゲートがコンベアベルトの上面から所定の間隔を置いて設置されている廃プラスチックボトルの搬送コンベアにおいて、コンベアベルトの上面と分配ゲートの下端との間に設けられている隙間に廃プラスチックボトルが噛み込むことを防止して、廃プラスチックボトルを能率良く搬送することができる廃プラスチックボトルの搬送コンベアを提供することを目的とするものである。
【課題を解決するための手段】
【００１１】
上記の課題を解決するために、本発明は以下の特徴を有する。
【００１２】
［１］分配ゲートがコンベアベルトの上面から所定の間隔を置いて設置されている廃プラスチックボトルの搬送コンベアにおいて、一端が搬送コンベアへの搬入部に固定され、他端が前記分配ゲートまで延びた帯状体をコンベアベルトの上面に這わしていることを特徴とする廃プラスチックボトルの搬送コンベア。
【００１３】
［２］前記帯状体の厚みは、コンベアベルトの上面から分配ゲートまでの間隔より大きいことを特徴とする前記［１］に記載の廃プラスチックボトルの搬送コンベア。
【発明の効果】
【００１４】
本発明においては、コンベアベルトの上面に分配ゲートまで延びる帯状体を這わしているので、この帯状体がコンベアベルトの上面と分配ゲートの下端との間の隙間を塞ぐようになり、コンベアベルトに損傷を与えることなく、廃プラスチックボトルがコンベアベルトの上面と分配ゲートの下端との間の隙間に噛み込むことが防止され、廃プラスチックボトルを能率良く搬送することができる。
【発明を実施するための最良の形態】
【００１５】
本発明の一実施形態を図面に基づいて説明する。
【００１６】
図１は、この実施形態に係る廃プラスチックボトルの搬送コンベアを説明するための斜視図であり、図２は、その要部拡大図である。
【００１７】
図１に示すように、この実施形態に係る廃プラスチックボトルの搬送コンベア１０は、その搬出側の端部近傍に、上流側から順に、第１分配ゲート１２と第２分配ゲート１３がコンベアベルト１１の上面と所定の間隔をおいて設けられている。第１分配ゲート１２は、コンベアベルト１１の手前側の幅端部から上流側に向けて斜め方向にコンベアベルト１１の幅中央部まで延びている。一方、第２分配ゲート１３は、コンベアベルト１１の手前側の幅端部から上流側に向けて斜め方向にコンベアベルト１１の奥側の幅端部まで延びている。そして、第１分配ゲート１２と第２分配ゲート１３の出口に、それぞれ第１ボトル圧縮梱包機２１と第２ボトル圧縮梱包機２２が配置されている。
【００１８】
そして、この実施形態においては、コンベアベルト１１の上面の幅中央部に、搬送コンベア１０への搬入部に設けられた保持部材１６に一端が保持され、他端が第１分配ゲート１２の先端部１２ａまで延びたプラスチック製の帯１５を這わしている。
【００１９】
上記のように構成された搬送コンベア１０においては、コンベアベルト１１上を搬送されているＰＥＴボトル１の内、コンベアベルト１１の手前側ゾーンに載置されているＰＥＴボトル１は、第１分配ゲート１２によって搬送方向が変えられて第１ボトル圧縮梱包機２１に供給され、コンベアベルト１１の奥側ゾーンに載置されているＰＥＴボトル１は、第２分配ゲート１２によって搬送方向が変えられて第２ボトル圧縮梱包機２２に供給される。
【００２０】
その際に、図２に示すように、コンベアベルト１１の上面に配されているプラスチック製の帯１５が、コンベアベルト１１の上面と第１分配ゲート１２の下端との間の隙間１９を塞ぐようになるので、薄く押し潰された状態のＰＥＴボトル１ａが搬送されてきても、その隙間１９に噛み込むことが防止される。その結果、後続のＰＥＴボトル１が搬送コンベア１１上に滞留してしまうことが回避され、ＰＥＴボトル１を能率良く搬送することができる。しかも、プラスチック製の帯１５をコンベアベルト１１の上面に這わしているだけなので、コンベアベルト１１に損傷を与えることもない。
【００２１】
なお、プラスチック製の帯１５の厚さｔについては、隙間１９の寸法ｇ（通常、１ｍｍ〜２ｍｍ）より大きい方が効果は大きいので、ｔ≧ｇとするのが好ましい。ただし、ある程度の厚さ以上になれば効果は変わらないので、プラスチック製の帯１５の厚さｔは２ｍｍ〜３ｍｍとするのが好適である。
【００２２】
また、プラスチック製の帯１５の幅Ｗについては、あまり狭すぎると効果が薄れるし、あまり広すぎるとコンベアベルト１１の上面（搬送面）を覆い過ぎるので、４０ｍｍ〜８０ｍｍとするのが好適である。
【００２３】
なお、上記の実施形態においては、廃棄ＰＥＴボトルを搬送する場合を例に述べたが、他の廃プラスチックボトルを搬送する場合にも適用することができ、同様の効果が得られることはいうまでもない。
【図面の簡単な説明】
【００２４】
【図１】本発明の一実施形態の説明図である。
【図２】図１における要部拡大図である。
【図３】従来技術の説明図である。
【図４】図３における要部拡大図である。
【符号の説明】
【００２５】
１  ＰＥＴボトル
１ａ  薄く押し潰された状態のＰＥＴボトル
１０  搬送コンベア
１１  コンベアベルト
１２  第１分配ゲート
１２ａ  第１分配ゲートの先端部
１３  第２分配ゲート
１５  帯
１６  保持部材
１９  隙間
２１  第１ボトル圧縮梱包機
【図１】
2006298600.tif 000003
【図２】
2006298600.tif 000004
【図３】
2006298600.tif 000005
【図４】
2006298600.tif 000006